(57)【要約】【課題】移動通信端末機で参照フィールドを利用して簡便に写真を検索し、写真検索中に簡便に発呼できる移動通信端末機における参照フィールド利用方法を提供する。【解決手段】本発明は、移動通信端末機における参照フィールド利用方法を提供する。この移動通信端末機における参照フィールド利用方法は、電話帳リストのいずれか１つの電話番号項目が選択される段階と、写真を検索するためのオプションメニューが選択される段階と、選択された電話番号項目に該当する写真リストが表示される段階とを含む。【選択図】図３Ａ
2006191531.tif 000002
【特許請求の範囲】
【請求項１】
電話帳リストのいずれか１つの電話番号項目が選択される段階と、
写真を検索するためのオプションメニューが選択される段階と、
前記選択された電話番号項目に該当する写真リストが表示される段階と、
を含むことを特徴とする移動通信端末機における参照フィールド利用方法。
【請求項２】
前記選択された電話番号項目に該当する写真が、該当電話番号の識別子フィールド値と一致する参照識別子フィールド値を有する写真であることを特徴とする請求項１に記載の移動通信端末機における参照フィールド利用方法。
【請求項３】
前記参照識別子フィールド値は、該当写真がある電話番号の代表写真に設定された場合、該当電話番号の電話帳データベース識別子フィールド値であることを特徴とする請求項２に記載の移動通信端末機における参照フィールド利用方法。
【請求項４】
前記参照識別子フィールド値が、電話番号の代表写真指定過程で設定されることを特徴とする請求項２に記載の移動通信端末機における参照フィールド利用方法。
【請求項５】
前記電話番号の代表写真指定過程は、
使用者が電話番号追加及び編集機能を利用して個人情報を入力する段階と、
写真の指定により代表写真を設定する段階と、
該当電話番号の電話帳データベース識別子フィールド値を前記設定された代表写真の参照識別子フィールドに更新する段階と、
を含むことを特徴とする請求項４に記載の移動通信端末機における参照フィールド利用方法。
【請求項６】
前記選択された電話番号項目に該当する写真がない場合、移動通信端末機は該当する写真がないという内容を文字又は音声メッセージで使用者に通知する段階をさらに含むことを特徴とする請求項１に記載の移動通信端末機における参照フィールド利用方法。
【請求項７】
写真閲覧中に通話キーが入力される段階と、
前記写真に該当する電話番号があるかを判断する段階と、
判断の結果、前記写真に該当する電話番号がある場合、その電話番号に発呼する段階と、
を含むことを特徴とする移動通信端末機における参照フィールド利用方法。
【請求項８】
前記の判断が、前記写真の参照識別子フィールド値が存在するかどうかの判断であることを特徴とする請求項７に記載の移動通信端末機における参照フィールド利用方法。
【請求項９】
前記参照識別子フィールド値が、電話番号の代表写真指定過程で設定されることを特徴とする請求項８に記載の移動通信端末機における参照フィールド利用方法。
【請求項１０】
前記参照識別子フィールド値が存在するかどうかは、該当写真の代表写真フィールド値によって決定されることを特徴とする請求項８に記載の移動通信端末機における参照フィールド利用方法。
【請求項１１】
前記参照識別子フィールド値は、前記代表写真フィールド値が０であると存在しないことを特徴とする請求項１０に記載の移動通信端末機における参照フィールド利用方法。
【請求項１２】
前記参照識別子フィールド値は、前記代表写真フィールド値が１であると存在することを特徴とする請求項１０に記載の移動通信端末機における参照フィールド利用方法。
【請求項１３】
前記代表写真フィールド値が、電話番号の代表写真指定過程で設定されることを特徴とする請求項１０に記載の移動通信端末機における参照フィールド利用方法。
【請求項１４】
前記代表写真指定過程は、
使用者が電話番号追加及び編集機能を利用して個人情報を入力する段階と、
写真の指定により代表写真を設定する段階と、
前記設定された代表写真の代表写真フィールドを更新する段階と、
該当電話番号の電話帳データベース識別子フィールド値を前記設定された代表写真の参照識別子フィールドに更新する段階と、
を含むことを特徴とする請求項９又は１３に記載の移動通信端末機における参照フィールド利用方法。
【請求項１５】
前記写真に該当する電話番号が、該当写真の参照識別子フィールド値と一致する電話帳データベース識別子フィールド値を有する電話番号項目の代表電話番号であることを特徴とする請求項７に記載の移動通信端末機における参照フィールド利用方法。
【発明の詳細な説明】
【技術分野】
【０００１】
本発明は、移動通信端末機に関し、特に、移動通信端末機で参照フィールドを利用して簡便に写真を検索し、写真検索中に簡便に発呼できる移動通信端末機における参照フィールド利用方法に関する。
【背景技術】
【０００２】
近来、移動通信技術と端末機製造技術が発達するにつれて、移動通信端末機は、単純に携帯電話ではない携帯用エンターテインメントシステムと呼ばれている。移動通信端末機の使用者は、移動通信端末機を利用して、写真や動画像を撮影及び鑑賞したり、音楽を聞いたり、インターネットやモバイルゲームを楽しむことができるようになり、使用者の便宜が図られている。
【０００３】
特に、最近の移動通信端末機の場合、大多数の移動通信端末機が１００万画素以上の高画質カメラと大容量の内蔵メモリを備え、外部メモリのサポートも可能であるため、使用者はカメラを別途に購入する必要がなくなった。
【０００４】
しかしながら、このような従来の移動通信端末機においては、撮影してメモリに保存した写真から特定の写真を容易に検索する方法がなかった。前記特定の写真を見るためには、使用者は保存されている全ての写真リスト又はフォルダ別リストから前記特定の写真のタイトルを探したり、タイトルを記憶していない場合、写真を一々確認して前記特定の写真を探さなければならないという問題があった。
【０００５】
また、従来は、写真を見ているときに写真の人物と通話しようとする場合、使用者は使用中の写真閲覧機能を終了し、通話を試みなければならなかった。このような場合、使用者が写真の人物の電話番号又はその短縮番号を記憶していないと、電話帳から該当電話番号を検索して通話を試みなければならないため煩雑であるという問題があった。
【発明の開示】
【発明が解決しようとする課題】
【０００６】
本発明は、このような従来技術の問題を解決するためになされたもので、移動通信端末機で参照フィールドを利用して簡便に写真を検索できる移動通信端末機における参照フィールド利用方法を提供することを目的とする。
【０００７】
本発明の他の目的は、移動通信端末機で参照フィールドを利用して写真検索中に簡便に発呼できる移動通信端末機における参照フィールド利用方法を提供することにある。
【課題を解決するための手段】
【０００８】
上記の目的を達成するために、本発明による移動通信端末機における参照フィールド利用方法は、電話帳リストのいずれか１つの電話番号項目が選択される段階と、写真を検索するためのオプションメニューが選択される段階と、前記選択された電話番号項目に該当する写真リストが表示される段階とを含むことを特徴とする。
【０００９】
好ましくは、前記選択された電話番号項目に該当する写真は、該当電話番号の識別子フィールド値と一致する参照識別子フィールド値を有する写真であり、前記参照識別子フィールド値は、使用者が電話番号追加及び編集機能を利用して個人情報を入力する段階と、写真の指定により代表写真を設定する段階と、該当電話番号の電話帳データベース識別子フィールド値を前記設定された代表写真の参照識別子フィールドに更新する段階とを含む代表写真指定過程で設定される。
【００１０】
好ましくは、前記選択された電話番号項目に該当する写真がない場合、移動通信端末機が該当する写真がないという内容を文字又は音声メッセージで使用者に通知する段階をさらに含む。
【００１１】
上記の目的を達成するために、本発明による移動通信端末機における参照フィールド利用方法は、写真閲覧中に通話キーが入力される段階と、前記写真に該当する電話番号があるかを判断する段階と、判断の結果、前記写真に該当する電話番号がある場合、その電話番号に発呼する段階とを含むことを特徴とする。
【００１２】
好ましくは、前記の判断は、前記写真の参照識別子フィールド値が存在するかどうかの判断であり、参照識別子フィールド値は、代表写真フィールド値が０であると存在しないと判断され、代表写真フィールド値が１であると存在すると判断される。
【００１３】
上記目的を達成するために、本発明は、例えば、以下の手段を提供する。
（項目１）
電話帳リストのいずれか１つの電話番号項目が選択される段階と、
写真を検索するためのオプションメニューが選択される段階と、
前記選択された電話番号項目に該当する写真リストが表示される段階と、
を含むことを特徴とする移動通信端末機における参照フィールド利用方法。
（項目２）
前記選択された電話番号項目に該当する写真が、該当電話番号の識別子フィールド値と一致する参照識別子フィールド値を有する写真であることを特徴とする項目１に記載の移動通信端末機における参照フィールド利用方法。
（項目３）
前記参照識別子フィールド値は、該当写真がある電話番号の代表写真に設定された場合、該当電話番号の電話帳データベース識別子フィールド値であることを特徴とする項目２に記載の移動通信端末機における参照フィールド利用方法。
（項目４）
前記参照識別子フィールド値が、電話番号の代表写真指定過程で設定されることを特徴とする項目２に記載の移動通信端末機における参照フィールド利用方法。
（項目５）
前記電話番号の代表写真指定過程は、
使用者が電話番号追加及び編集機能を利用して個人情報を入力する段階と、
写真の指定により代表写真を設定する段階と、
該当電話番号の電話帳データベース識別子フィールド値を前記設定された代表写真の参照識別子フィールドに更新する段階と、
を含むことを特徴とする項目４に記載の移動通信端末機における参照フィールド利用方法。
（項目６）
前記選択された電話番号項目に該当する写真がない場合、移動通信端末機は該当する写真がないという内容を文字又は音声メッセージで使用者に通知する段階をさらに含むことを特徴とする項目１に記載の移動通信端末機における参照フィールド利用方法。
（項目７）
写真閲覧中に通話キーが入力される段階と、
前記写真に該当する電話番号があるかを判断する段階と、
判断の結果、前記写真に該当する電話番号がある場合、その電話番号に発呼する段階と、
を含むことを特徴とする移動通信端末機における参照フィールド利用方法。
（項目８）
前記の判断が、前記写真の参照識別子フィールド値が存在するかどうかの判断であることを特徴とする項目７に記載の移動通信端末機における参照フィールド利用方法。
（項目９）
前記参照識別子フィールド値が、電話番号の代表写真指定過程で設定されることを特徴とする項目８に記載の移動通信端末機における参照フィールド利用方法。
（項目１０）
前記参照識別子フィールド値が存在するかどうかは、該当写真の代表写真フィールド値によって決定されることを特徴とする項目８に記載の移動通信端末機における参照フィールド利用方法。
（項目１１）
前記参照識別子フィールド値は、前記代表写真フィールド値が０であると存在しないことを特徴とする項目１０に記載の移動通信端末機における参照フィールド利用方法。
（項目１２）
前記参照識別子フィールド値は、前記代表写真フィールド値が１であると存在することを特徴とする項目１０に記載の移動通信端末機における参照フィールド利用方法。
（項目１３）
前記代表写真フィールド値が、電話番号の代表写真指定過程で設定されることを特徴とする項目１０に記載の移動通信端末機における参照フィールド利用方法。
（項目１４）
前記代表写真指定過程は、
使用者が電話番号追加及び編集機能を利用して個人情報を入力する段階と、
写真の指定により代表写真を設定する段階と、
前記設定された代表写真の代表写真フィールドを更新する段階と、
該当電話番号の電話帳データベース識別子フィールド値を前記設定された代表写真の参照識別子フィールドに更新する段階と、
を含むことを特徴とする項目９又は１３に記載の移動通信端末機における参照フィールド利用方法。
（項目１５）
前記写真に該当する電話番号が、該当写真の参照識別子フィールド値と一致する電話帳データベース識別子フィールド値を有する電話番号項目の代表電話番号であることを特徴とする項目７に記載の移動通信端末機における参照フィールド利用方法。
【発明の効果】
【００１４】
本発明による移動通信端末機における参照フィールド利用方法は、電話帳に保存されている該当電話番号の所有者の名前を利用して全体の写真アルバムから前記所有者の写真を検索することができ、写真を見ているときに写真の人物と通話しようとする場合、写真アルバムデータベースの参照識別子フィールド値を利用して直ちに発呼することにより、使用者の便宜を向上させるという効果がある。
【発明を実施するための最良の形態】
【００１５】
以下、添付の図面を参照して本発明の好ましい実施形態を説明する。
【００１６】
本発明の説明において、関連の公知機能又は構成に関する具体的な説明が本発明の要旨を不明確にすると判断された場合、その詳細な説明は省略する。
【００１７】
図１は、本発明による移動通信端末機における参照フィールド利用方法に適用される写真アルバム及び電話帳データベースの参照フィールドの一例を示す図表である。
【００１８】
図１に示すように、写真アルバムデータベース（Data Base；ＤＢ）１１０の参照フィールドは、既存の写真データベース識別子（Identifier；ＩＤ）フィールド１１２、タイトルフィールド１１４、時間フィールド１１６、サイズフィールド１１８などの他にも、代表写真フィールド１２０と参照識別子フィールド１２２とをさらに含む。
【００１９】
写真データベース識別子フィールド１１２は、写真アルバムデータベース１１０においてそれぞれの写真を区分する唯一の値である識別子に関する情報を含む参照フィールドであり、タイトルフィールド１１４は、使用者が写真を撮影して保存するときに作成する写真のタイトルに関する情報を含む参照フィールドである。時間フィールド１１６は、写真を保存した日付と時間に関する情報を含む参照フィールドであり、サイズフィールド１１８は、写真の保存サイズに関する情報を含む参照フィールドである。
【００２０】
また、本発明により追加された代表写真フィールド１２０は、２つの情報区分値のいずれか１つの値を保存するが、例えば、０又は１の値を保存することができる。前記情報区別値は、該当写真が電話帳のある電話番号の代表写真に設定されているか否かにより決定される。参照識別子フィールド１２２は、該当写真がある電話番号の代表写真に設定されている場合、該当電話番号を区分する唯一の値である電話帳データベース識別子１３２の情報を保存する。
【００２１】
一方、電話帳データベース１３０の参照フィールドは、電話帳データベース１３０においてそれぞれの電話番号を区分する唯一の値である識別子（一般に、電話番号が保存される番地）に関する情報を含む電話帳データベース識別子フィールド１３２と、使用者が該当電話番号を保存するときに指定した該当電話番号項目を代表する名前（一般に、電話番号の所有者の名前やニックネーム）に関する情報を含む名前フィールド１３４と、該当電話番号に関する情報又は２つ以上の電話番号を１つの名前フィールド１３４内に保存した場合（例えば、同一人物の携帯電話番号と会社電話番号を共に保存した場合）、使用者が代表番号に指定した電話番号に関する情報を有する代表番号フィールド１３６とを含む。
【００２２】
図２は、本発明による参照フィールド利用方法のために予め代表写真を指定する一実施形態を示すフローチャートである。
【００２３】
図２を参照すると、新しい電話番号を保存するか、又は既存の電話番号を編集するために、使用者が電話番号追加及び編集機能を動作させると（Ｓ２１０）、移動通信端末機のディスプレイ部に電話番号追加及び編集画面が表示され、使用者は名前、グループ、電話番号、電子メール／ホームページアドレス、キャラクター、誕生日、個人別着信音／グループ別着信音、メモなどの該当電話番号の所有者に関する個人情報を入力又は修正する（Ｓ２１２）。個人情報の入力又は修正が完了すると、電話番号に該当させる写真を指定するために、写真指定機能を動作させる所定のキーを押す（Ｓ２１４）。
【００２４】
その後、移動通信端末機の仕様によって、アルバム別又はフォルダ別に写真閲覧機能のある移動通信端末機の場合、使用者がどのキーを入力したか、即ち、どのアルバム又はフォルダの閲覧を入力したか、あるいは、選択又は確認を入力したかを判断して（Ｓ２１６）、使用者があるアルバム又はフォルダの閲覧を入力した場合、該当アルバム又はフォルダ内の写真を表示する（Ｓ２１８）。その後、使用者は前記表示された写真から代表写真に設定する１つ以上の写真を選択する（Ｓ２２０）。それに対して、使用者があるアルバム又はフォルダの選択又は確認を入力した場合は、該当アルバム又はフォルダ内の全ての写真が選択される（Ｓ２２２）。
【００２５】
一方、アルバム別又はフォルダ別の写真閲覧機能のない移動通信端末機の場合、全ての写真リストが表示され、使用者は前記表示された写真から代表写真に設定する１つ以上の写真を選択する（Ｓ２２４）。
【００２６】
その後、移動通信端末機は、前記の過程Ｓ２２０、Ｓ２２２、Ｓ２２４で選択された写真の数が２つ以上であるか否かを判断して（Ｓ２２６）、２つ以上の写真が選択されていると、使用者に１つの写真を代表写真として指定させる（Ｓ２２８）。なお、２つ未満、即ち、１つの写真が選択されている場合は過程Ｓ２２８が省略される。移動通信端末機は、前記選択された写真に対して代表写真フィールド値を１に設定し（Ｓ２３０）、使用者が指定した代表写真に対してどのキーを入力したか、即ち、作業を取り消して以前の段階に戻る取消を入力したか、又は今までの作業内容を保存する保存又は確認を入力したかを判断する（Ｓ２３２）。
【００２７】
前記判断の結果、使用者が取消を入力した場合、前記の過程Ｓ２３０で１に設定した代表写真フィールド値を０に初期化する（Ｓ２３４）。それに対して、使用者が今までの作業内容を保存する保存又は確認を入力した場合、移動通信端末機は、参照識別子フィールド値を更新して保存する（Ｓ２３６）。
【００２８】
前述の過程により、使用者は一人の相手に対して電話番号に代表写真を該当させることができる。その後、電話帳リストから該当相手の名前が選択された状態で、写真を検索するためのオプションメニューを入力すると、前記選択された電話帳項目の電話帳データベース識別子フィールド値と写真アルバムデータベースの参照識別子フィールド値とが一致する写真のリストが移動通信端末機のディスプレイ部に表示される。また、使用者が移動通信端末機のアルバムの写真を見ているときに通話キーを押すと、該当写真の参照識別子フィールド値と電話帳データベースの電話帳データベース識別子フィールド値が一致する電話帳項目の代表電話番号に発呼する。以下、これを図３を参照して説明する。
【００２９】
図３Ａ及び図３Ｂは、本発明による移動通信端末機における参照フィールド利用方法を示すフローチャートで、図３Ａは、電話帳から写真を検索する方法を示し、図３Ｂは、写真閲覧状態で写真の人物と簡便に通話する方法を示す。
【００３０】
図３Ａを参照すると、まず、使用者が移動通信端末機の電話帳リスト画面で電話帳リストを見ているときに（Ｓ３１０）、移動通信端末機のアルバムに保存されたある人の写真を見ようとする場合、電話帳リストから写真を見ようとする人の名前を選択し（Ｓ３１２）、写真を検索する機能を有するオプションメニューを選択すると（Ｓ３１４）、移動通信端末機は、前記選択された名前に対応する電話番号の電話帳データベース識別子フィールド値と一致する参照識別子フィールド値を有する写真のリストを移動通信端末機のディスプレイ部に表示する（Ｓ３１６）。使用者は前記ディスプレイ部に表示された１つ以上の写真リストから所望の写真を選択して見ることができる。
【００３１】
もし、前記選択された名前に対する電話番号の電話帳データベース識別子フィールド値と一致する参照識別子フィールド値を有する写真がない場合、移動通信端末機は、該当する写真がないという内容を文字又は音声メッセージで使用者に通知する。
【００３２】
図３Ｂを参照すると、使用者が移動通信端末機のアルバムで写真を見ているときに（Ｓ３３０）、写真の人物と通話をしようとする場合、使用者は、通話ボタンのような通話機能に該当するキーを入力する（Ｓ３３２）。写真閲覧中に通話キーが入力された場合、移動通信端末機は、該当写真の参照識別子フィールド値が存在するかどうかを判断する（Ｓ３３４）。判断の結果、該当写真の参照識別子フィールド値が存在すると、その値と一致する電話帳データベース識別子フィールド値を有する電話番号項目の代表電話番号に発呼する（Ｓ３３６）。
【００３３】
一方、前記判断の結果、該当写真の参照識別子フィールド値が存在しないと、移動通信端末機は、電話帳リスト画面を表示し（Ｓ３３８）、使用者に電話通話をしようとする人（前記写真の人物）の電話番号を選択させる（Ｓ３４０）。もし、電話帳に該当電話番号がない場合、使用者が直接入力することもできる。使用者が通話機能に該当するキーを入力すると（Ｓ３４２）、移動通信端末機は、前記選択又は入力された電話番号に発呼する（Ｓ３４４）。同時に、移動通信端末機は、前記選択又は入力された電話番号の電話帳データベース識別子フィールド値を前記該当写真の参照識別子フィールドに更新する（Ｓ３４６）。
【００３４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３５】
移動通信端末機で参照フィールドを利用して簡便に写真を検索し、写真検索中に簡便に発呼できる移動通信端末機における参照フィールド利用方法を提供する。
【００３６】
移動通信端末機における参照フィールド利用方法は、電話帳リストのいずれか１つの電話番号項目が選択される段階と、写真を検索するためのオプションメニューが選択される段階と、選択された電話番号項目に該当する写真リストが表示される段階とを含む。
【図面の簡単な説明】
【００３７】
【図１】本発明による移動通信端末機における参照フィールド利用方法に適用される写真アルバム及び電話帳データベースの参照フィールドの一例を示す図表である。
【図２】本発明による参照フィールド利用方法のために予め代表写真を指定する一実施形態を示すフローチャートである。
【図３Ａ】本発明による移動通信端末機における参照フィールド利用方法を示すフローチャートである。
【図３Ｂ】本発明による移動通信端末機における参照フィールド利用方法を示すフローチャートである。
【符号の説明】
【００３８】
１１０  写真アルバムデータベース
１１２  写真データベース識別子フィールド
１１４  タイトルフィールド
１１６  時間フィールド
１１８  サイズフィールド
１２０  代表写真フィールド
１２２  参照識別子フィールド
１３０  電話帳データベース
１３２  電話帳データベース識別子フィールド
１３４  名前フィールド
１３６  代表番号フィールド
【図１】
2006191531.tif 000003
【図２】
2006191531.tif 000004
【図３Ａ】
2006191531.tif 000005
【図３Ｂ】
2006191531.tif 000006